(57)【要約】【課題】ユニット式建物の建物ユニットが据え付けられる布基礎の所定位置に床フレーム高さ調整ナットを正確に埋設することのできる床フレーム高さ調整ナットの埋設方法を提供する。【解決手段】互いに対向する二つの型枠７，７の間に床フレーム高さ調整ナット４を鉛直に保持する治具として、二つの型枠７，７の間に配置されるナット支持部材２と、ナット支持部材２の両端部２ａ，２ｂを型枠７の上端部に固定する一対の固定具３，３とを備え、固定具３がナット支持部材２の両端部２ａ，２ｂに取り外し可能に設けられた治具を用いて、布基礎の所定位置に床フレーム高さ調整ナット４を埋設する【選択図】図１
2010168781.tif 000002
【特許請求の範囲】
【請求項１】
ユニット式建物の建物ユニットが据え付けられる布基礎の所定位置に前記建物ユニットの床フレーム高さを調整するための床フレーム高さ調整ナットを埋設する方法であって、
前記布基礎のコンクリート打設空間を形成する複数の型枠のうち互いに対向する二つの型枠の間に前記床フレーム高さ調整ナットを鉛直に保持する治具として、前記二つの型枠の間に配置されるナット支持部材と、該ナット支持部材の両端部を前記型枠の上端部に固定する一対の固定具とを備え、前記固定具が前記ナット支持部材の両端部に取り外し可能に設けられた治具を用い、
前記ナット支持部材により前記床フレーム高さ調整ナットを前記二つの型枠の間に鉛直に支持した後、前記コンクリート打設空間にコンクリートを打設して前記床フレーム高さ調整ナットを前記布基礎の所定位置に埋設するようにしたことを特徴とする床フレーム高さ調整ナットの埋設方法。
【請求項２】
ユニット式建物の建物ユニットが据え付けられる布基礎の所定位置に前記建物ユニットの床フレーム高さを調整するための床フレーム高さ調整ナットを埋設するときに使用される床フレーム高さ調整ナット保持具であって、
前記布基礎のコンクリート打設空間を形成する複数の型枠のうち互いに対向する二つの型枠の間に前記床フレーム高さ調整ナットを鉛直に保持するナット支持部材と、
該ナット支持部材の両端部を前記型枠の上端部に固定する一対の固定具とを備え、
前記固定具が前記ナット支持部材の両端部に取り外し可能に設けられていることを特徴とする床フレーム高さ調整ナット保持具。
【請求項３】
請求項２記載の床フレーム高さ調整ナット保持具であって、前記ナット支持部材が、前記床フレーム高さ調整ナットに螺合する床フレーム高さ調整ボルトを介して前記床フレーム高さ調整ナットを鉛直に支持するための複数のボルト挿入孔を有することを特徴とする床フレーム高さ調整ナット保持具。
【発明の詳細な説明】
【技術分野】
【０００１】
本発明は、ユニット式建物の建物ユニットが据え付けられる布基礎の所定位置に建物ユニットの床フレーム高さを調整するための床フレーム高さ調整ナットを埋設する床フレーム高さ調整ナットの埋設方法とこれに使用される床フレーム高さ調整ナット保持具に関する。
【背景技術】
【０００２】
各建物ユニットが方形状に形成された床フレームの四隅に柱を立設して直方体形状に形成されたユニット式建物は、通常、現場でコンクリート打ちされた布基礎の上面に建物ユニットを据え付けて構築される。しかし、布基礎上に設置された建物ユニットの水平度が許容範囲から外れていたり、あるいは布基礎上に隣接して設置された二つの建物ユニットの間に高さ方向の組合せ誤差が生じていたりすると、ユニット同士をボルトなどによって接合することができなくなるなどの不都合が生じることがある。
【０００３】
そこで、ユニット式建物の建物ユニットを布基礎上に据え付けてユニット式建物を構築する際には、布基礎の所定位置に有底円筒状の床フレーム高さ調整ナットとシース管とを埋設しておき、建物ユニットから下方に突出するアンカー部材をシース管に挿入するとともに、建物ユニットの床フレーム高さを床フレーム高さ調整ナットに螺合する床フレーム高さ調整ボルトにより調整した後、シース管にグラウト材を充填して建物ユニットを布基礎上に据え付けるようにしている（例えば、特許文献１参照）。
【先行技術文献】
【特許文献】
【０００４】
【特許文献１】特開２００２−８１１４１号公報
【発明の概要】
【発明が解決しようとする課題】
【０００５】
しかしながら、布基礎の所定位置に床フレーム高さ調整ナットを埋設するときに、従来においては、床フレーム高さ調整ナットの埋設位置を目視により確認しながら床フレーム高さ調整ナットを手作業により１個ずつ布基礎に埋設しているため、床フレーム高さ調整ナットの埋設位置精度が低いという問題があった。
なお、特許文献１にはシース管と床フレーム高さ調整ナットを布基礎の所定位置に埋設するための治具が開示されているが、床フレーム高さ調整ナットの埋設位置がシース管の埋設位置から遠く離れている場合（例えば床フレーム高さ調整ナットの埋設位置が布基礎の基礎梁中間部や独立基礎にある場合）には、特許文献１に開示された治具を用いて床フレーム高さ調整ナットを布基礎の所定位置に埋設することは不可能である。
本発明は、上述した問題点に着目してなされたものであって、ユニット式建物の建物ユニットが据え付けられる布基礎の所定位置に床フレーム高さ調整ナットを正確に埋設することのできる床フレーム高さ調整ナットの埋設方法と床フレーム高さ調整ナット保持具を提供することを目的とする。
【課題を解決するための手段】
【０００６】
上記課題を解決するため、本発明に係る床フレーム高さ調整ナットの埋設方法は、ユニット式建物の建物ユニットが据え付けられる布基礎の所定位置に前記建物ユニットの床フレーム高さを調整するための床フレーム高さ調整ナットを埋設する方法であって、前記布基礎のコンクリート打設空間を形成する複数の型枠のうち互いに対向する二つの型枠の間に前記床フレーム高さ調整ナットを鉛直に保持する治具として、前記二つの型枠の間に配置されるナット支持部材と、該ナット支持部材の両端部を前記型枠の上端部に固定する一対の固定具とを備え、前記固定具が前記ナット支持部材の両端部に取り外し可能に設けられた治具を用い、前記ナット支持部材により前記床フレーム高さ調整ナットを前記二つの型枠の間に鉛直に支持した後、前記コンクリート打設空間にコンクリートを打設して前記床フレーム高さ調整ナットを前記布基礎の所定位置に埋設するようにしたことを特徴とする。
【０００７】
本発明に係る床フレーム高さ調整ナット保持具は、ユニット式建物の建物ユニットが据え付けられる布基礎の所定位置に前記建物ユニットの床フレーム高さを調整するための床フレーム高さ調整ナットを埋設するときに使用される床フレーム高さ調整ナット保持具であって、前記布基礎のコンクリート打設空間を形成する複数の型枠のうち互いに対向する二つの型枠の間に前記床フレーム高さ調整ナットを鉛直に支持するナット支持部材と、該ナット支持部材の両端部を前記型枠の上端部に固定する一対の固定具とを備え、前記固定具が前記ナット支持部材の両端部に取り外し可能に設けられていることを特徴とする。
本発明に係る床フレーム高さ調整ナット保持具において、前記ナット支持部材は、前記床フレーム高さ調整ナットに螺合する床フレーム高さ調整ボルトを介して前記床フレーム高さ調整ナットを鉛直に支持するための複数のボルト挿入孔を有するものであることが好ましい。
【発明の効果】
【０００８】
本発明によると、床フレーム高さ調整ナットを布基礎の所定位置に埋設するときに床フレーム高さ調整ナットの埋設位置を目視により確認しながら床フレーム高さ調整ナットを手作業により１個ずつ埋設しなくて済むので、床フレーム高さ調整ナットを布基礎の所定位置に正確に埋設することができる。
また、固定具を共通のパーツとして使用できるので、多種類の床フレーム高さ調整ナット保持具を用意することなく床フレーム高さ調整ナットを布基礎の所定位置に埋設することができる。
【図面の簡単な説明】
【０００９】
【図１】本発明の第１実施形態に係る床フレーム高さ調整ナット保持具を示す図である。
【図２】図１に示される床フレーム高さ調整ナット保持具を用いて床フレーム高さ調整ナットを布基礎の所定位置に埋設する方法の一例を示す図である。
【図３】図１に示されるナット支持部材の変形例を示す図である。
【発明を実施するための形態】
【００１０】
以下、添付図面を参照して本発明に係る床フレーム高さ調整ナットの埋設方法と床フレーム高さ調整ナット保持具について説明する。
図１は、本発明に係る床フレーム高さ調整ナットの埋設方法に用いられる床フレーム高さ調整ナット保持具の一例を示す図である。この図１に示される床フレーム高さ調整ナット保持具１は厚さが１４０ｍｍの布基礎中間部に床フレーム高さ調整ナット４を埋設するときに使用されるものであって、ナット支持部材２と一対の固定具３，３とを備えている。
【００１１】
ナット支持部材２は布基礎のコンクリート打設空間を形成する複数の型枠７のうち互いに対向する二つの型枠７，７の間に床フレーム高さ調整ナット４を鉛直に支持するものであり、長方形状に形成された金属板の長手方向両端部をＬ字状に折り曲げて形成されている。
また、ナット支持部材２は床フレーム高さ調整ナット４と螺合する床フレーム高さ調整ボルト５が挿入される複数のボルト挿入孔６を有しており、これらのボルト挿入孔６は床フレーム高さ調整ボルト５の雄ねじ部外径より大きく且つ床フレーム高さ調整ナット４の外径より小さい直径で形成されている。
【００１２】
固定具３は型枠７の上端部にナット支持部材２の両端部２ａ，２ｂを固定するものであり、それぞれ取付け用ねじ８によりナット支持部材２の両端部２ａ，２ｂに取り外し可能に設けられている。
また、固定具３はコ字状に折り曲げられた金属板９を有しており、ナット支持部材２の両端部２ａ，２ｂは金属板９に形成されたスリット１０を挿通して金属板９の上面側に配置されている。さらに、固定具３は型枠７の上端部に金属板９を固定するための固定ねじ１１を有しており、この固定ねじ１１は金属板９に形成された折曲片部９ａ，９ｂのうち型枠７の外側に配置される折曲片部９ａに形成されたネジ孔に折曲片部９ｂに向けて螺挿されている。
【００１３】
また、固定具３は金属板９の折曲片部９ａ，９ｂのうち型枠７の内側に配置される折曲片部９ｂとの間で型枠７の上端部を締付ける型枠締付板１２を有しており、この型枠締付板１２は固定ねじ１１の先端部に設けられている。
図２は図１に示した床フレーム高さ調整ナット保持具１を用いて床フレーム高さ調整ナット４を布基礎の所定位置に埋設する方法を説明するための図であって、図１に示した床フレーム高さ調整ナット保持具１を使用して床フレーム高さ調整ナット４を布基礎の所定位置に埋設するには、図２の（ａ）に示されるように、ナット支持部材２の両端部２ａ，２ｂを一対の固定具３，３により型枠７の上端部に固定した後、ナット支持部材２のボルト挿入孔６に床フレーム高さ調整ボルト５を上方より挿入する。
【００１４】
次に、ナット支持部材２のボルト挿入孔６に挿入された床フレーム高さ調整ボルト５のねじ部に床フレーム高さ調整ナット４を螺嵌した後、図２の（ｂ）に示されるように、型枠７により形成されたコンクリート打設空間にコンクリート１３を所定位置まで打設する。そして、コンクリート打設空間に打設されたコンクリート１３が固化したならば、ナット支持部材２のボルト挿入孔６から床フレーム高さ調整ボルト５を取り外し、さらに、フレーム高さ調整ナット保持具１を型枠７の上端部から取り外すと、図２の（ｃ）に示されるように、床フレーム高さ調整ナット４が布基礎の所定位置に埋設される。
【００１５】
上述のように、床フレーム高さ調整ナット４を布基礎の所定位置に埋設するときに、互いに対向する二つの型枠７，７の間に床フレーム高さ調整ナット４を鉛直に保持する治具として、図１に示したフレーム高さ調整ナット保持具１を用いると、床フレーム高さ調整ナット４の埋設位置を目視により確認しながら床フレーム高さ調整ナット４を手作業により１個ずつ埋設しなくて済む。したがって、床フレーム高さ調整ナット４を布基礎の所定位置に正確に埋設することができる。
【００１６】
また、床フレーム高さ調整ナット４を布基礎の所定位置に埋設するときに、互いに対向する二つの型枠７，７の間に床フレーム高さ調整ナット４を鉛直に保持する治具として、図１に示した治具１、すなわち型枠７の上端部にナット支持部材２を固定する一対の固定具３，３がナット支持部材２の両端部２ａ，２ｂに取り外し可能に設けられた治具１を用いることにより、固定具３を共通のパーツとして使用でき、たとえば、厚さが２２０ｍｍの布基礎中間部に床フレーム高さ調整ナット４を埋設する場合には、図３（ａ）に示されるものをナット支持部材２として用いることができ、床フレーム高さ調整ナット４を内部独立基礎の所定位置に埋設する場合には、図３（ｂ）に示されるものをナット支持部材２として用いることができる。また、床フレーム高さ調整ナット４を外部独立基礎の所定位置に埋設する場合には、図３（ｃ）に示されるものをナット支持部材２として用いることができ、従って、多種類の床フレーム高さ調整ナット保持具を用意することなく床フレーム高さ調整ナット４を布基礎の所定位置に埋設することができる。
【００１７】
さらに、互いに対向する二つの型枠７，７の間に床フレーム高さ調整ナット４を鉛直に保持する治具として、ナット支持部材２に形成されたボルト挿入孔６の直径が床フレーム高さ調整ボルト５の雄ねじ部外径より大きく且つ床フレーム高さ調整ナット４の外径より小さいものを用いることにより、布基礎のコンクリート打設空間にコンクリートを打設したときにナット支持部材２により保持された床フレーム高さ調整ナット４の上端部がボルト挿入孔６からナット支持部材２の上面側に浮き上がってしまうことがないので、布基礎の所定位置に床フレーム高さ調整ナット４を一定の深さで正確に埋設することができる。
【符号の説明】
【００１８】
１  床フレーム高さ調整ナット保持具
２  ナット支持部材
３  固定具
４  床フレーム高さ調整ナット
５  床フレーム高さ調整ボルト
６  ボルト挿入孔
７  型枠
８  取付け用ねじ
９  金属板
９ａ，９ｂ  折曲片部
１０  スリット
１１  固定ねじ
１２  型枠締付板
１３  コンクリート
【図１】
2010168781.tif 000003
【図２】
2010168781.tif 000004
【図３】
2010168781.tif 000005